(57)【特許請求の範囲】
【請求項１】
内側部に所定の間隔を設け立設する中仕切部を有する中央成型枠体を設け、且つ前記成型枠体の右端縁部に内側部に所定の間隔を設け、前記中仕切部と直列し立設する右側仕切部を有し、表面部に右方フック部を、且つ前方端縁部に折曲自在な孔付きフック部を、後方端縁部に折曲自在な孔付きフック部を有する右側成型枠体と、前記中央成型枠体の左端縁部に内側部に所定の間隔を設けて前記中仕切部と前記右側仕切部と直列し立設する蓋仕切部と左側端縁部に折曲自在な孔付き係止部を形成する蓋成型枠体と、前記中央成型枠体の前端縁部に延設する折曲自在にして、且つ表面部に前方フック部を形成する尖状前側成型枠体と、前記中央成型枠体の後端縁部に延設する折曲自在にして、且つ表面部に後方フック部を形成する尖状後側成型枠体を設けると共に、前記中央成型枠体と前記右側成型枠体と前記蓋成型枠体と前記前側成型枠体と前記後側成型枠体とを折曲し、且つ組立ることによっておにぎりを成型するおにぎり成型器において、前記蓋成型枠体の蓋仕切部が、前記中央成型枠体と前記右側成型枠体の各仕切部と対向し、且つ当接状態が３角形状を確保できる湾曲形状とすることを特徴とするおにぎり成型器。
【請求項２】
前記中央成型枠体の内側部と前記右側成型枠体の内側部と前記蓋成型枠体の内側部と前記前側成型枠体及び前記後側成型枠体の内側部と、前記中仕切部と前記右側仕切部と前記蓋仕切部の夫々の表面部及び裏面部におにぎりの離脱容易部を形成せしめることを特徴とする請求項１に記載のおにぎり成型器。
【請求項３】
前記おにぎりの離脱容易部が、同一方向にして、且つ直線状に形成されていることを特徴とする請求項１もしくは同２に記載のおにぎり成型器。
【発明の詳細な説明】
【技術分野】
【０００１】
本発明は、おにぎり殊に３角形状をした女性や子どもらが食べ易いおにぎりを簡便に作ることができると共に、成型したおにぎりが取り出し易く、且つ広げると器としての利用も可能となり、さらにおにぎり成型後そのまま持ち運びもできる等多数の利点を併有するおにぎり成型器の分野に関するものである。
【背景技術】
【０００２】
従来おにぎりなどの成型器として、実開平７−３０６８９公開実用新案公報が開示されている。
【０００３】
前記開示のおにぎりなどの成型器は、容器本体１と押し蓋２を別設し、別設した前記容器本体１内にご飯を入れた後、前記別設の押し蓋２を前記容器本体１内に押し込み若干押圧し、おにぎりなどを成型するものである。
【０００４】
さらに、従来特許３１０１６５３号特許公報のおにぎり成型器とこれを使用したおにぎりの製造法が開示されている。
【０００５】
この特許公報に開示の発明は、おにぎりＲの下半分を象り成型する下型枠体２と、この下型枠体２に対して相対向して当接配置されることで同様におにぎりＲの上半分を象り成型する上型枠体５と、これらの上下の型枠体２、５相互を接離自在に合体させる合体手段１０を備えて成り、上下の型枠体２，５夫々には成型すべきおにぎりＲの平面形状とほぼ同様な平面形状を呈し、型枠体２、５の表裏面で解放させたものとして相互に合致する上下の型孔３、６夫々を穿設したものである。
【先行技術文献】
【特許文献】
【０００６】
【特許文献１】実開平７−３０６８９公開実用新案公報
【０００７】
【特許文献２】特許第３１０１６５３号特許公報
【発明の概要】
【発明が解決しようとする課題】
【０００８】
前記した従来開示の特許文献１の実開平７−３０６８９公開実用新案公報（おにぎりなどの成型器）は、容器本体１と押し蓋２がそのままの形態を保持していて展開することなど出来ない構造をしており、ましてや容器本体１と押し蓋２をおにぎり成型後は展開し器としておにぎり以外の品々を載せてミニトレー等としての利用はできないものである。
【０００９】
さらに、前記特許文献１に開示のおにぎりなどの成型器は、同時に複数個のものを成型することができないし、容器本体と押し蓋を展開しての洗浄ができないものである。
【００１０】
また、前記開示のおにぎりなどの成型器は、複数個同時に成型することも、且つ成型おにぎりを出早く、スピードをもって取出すことも構造上できにくいものである。
【００１１】
つぎに、前記した従来開示の特許文献のおにぎり成型器を構成する上型枠体と下型枠体は、展開と重ね合わせることのみで、おにぎり成型器のために上下型枠体に接続する他の枠体がない構造をしたものである。
【００１２】
そして、上下型枠体を洗浄するためには、ごはんを詰め込む下型枠体の下型孔や上型枠体の上型孔には一々掃除具もしくは手指などを入れて洗浄しなければならないなどの煩雑さがある。
【００１３】
しかるに、本発明のおにぎり成型器は、展開状態にある各構成部材を引掛け係止し一度に複数個の殊に３角形状のおにぎりを成型するごはんの詰込み容部を形成し、ごはんと梅干し等の具を入れ、さらにごはんを詰め込み後、蓋成型体を折畳んで押し込めば、極めて簡単にして、且つ迅速に複数の３角形状おにぎりを成型することができるようにした。
【００１４】
さらに、本発明は、３角形状などのおにぎりを成型後、成型されたおにぎりを取り出すには、各構成部材の各枠体を係止機構を解除することによって、右側成型枠体、蓋成型枠体、前側・後側成型枠体が外側方に展開して広がり、各おにぎりを手指でつかみやすく、しかもおにぎりが成型枠から取り出しやすくできるようにした。
【００１５】
また、本発明は、おにぎりを成型器に入れたまま衛生的に持ち運びができるようにした。
【００１６】
さらに、本発明は、洗浄時に枠体を展開してやれば極めてスムーズに各枠体の内側部と表面部をきれいに洗浄できるようにした。
【００１７】
本発明は、各枠体をおにぎり成型後展開することによって器もしくはトレーとして各品物等を載置し併せて利用ができるようにした。
【課題を解決するための手段】
【００１８】
課題を解決するための手段として、請求項１に記載の発明は、内側部１に所定の間隔を設け立設する中仕切部２を有する中央成型枠体ａを設け、且つ前記成型枠体ａの右端縁部３に内側部１ａに所定の間隔を設け前記中仕切部２と直列し立設する右側仕切部４を有し、表面部５に右方フック部６を、且つ前方端縁部７に折曲自在な孔８付きフック部９を、後方端縁部１０に折曲自在な孔１１付きフック部１２を有する右側成型枠体ｂと、前記中央成型枠体ａの左端縁部１３に内側部１４に所定の間隔を設けて前記中仕切部２と前記右側仕切部４と直列し立設する蓋仕切部１５と左側端縁部１６に折曲自在な孔８ａ付き係止部１７を形成する蓋成型枠体ｃと、前記中央成型枠体ａの前端縁部１８に延設する折曲自在にして、且つ表面部１９に前方フック部２０を形成する尖状前側成型枠体ｄと、前記中央成型枠体ａの後端縁部２１に延設する折曲自在にして、且つ表面部２２に後方フック部２３を形成する尖状後側成型枠体ｅを設けると共に、前記中央成型枠体ａと前記右側成型枠体ｂと前記蓋成型枠体ｃと前記前側成型枠体ｄと前記後側成型枠体ｅとを折曲し、且つ組立ることによっておにぎりを成型するおにぎり成型器において、前記蓋成型枠体ｃの蓋仕切部１５は、前記中央成型枠体ａと前記右側成型枠体ｂの各仕切部２、４と対向し、且つ当接状態が３角形状を確保できる湾曲形状とするおにぎり成型器である。
【００１９】
課題を解決するための手段として、請求項２に記載の発明は、前記中央成型枠体ａの内側部１と前記右側成型枠体ｂの内側部１ａと前記蓋成型枠体ｃの内側部１４と前記前側成型枠体ｄ及び前記後側成型枠体ｅの内側部１４ｂと前記成型枠体ｄの内側部１４ａと前記後側成型枠体ｅの内側部１４と前記蓋成型枠体ｃの前記蓋仕切部１５の表面部と裏面部におにぎりの離脱容易部２４を形成せしめるおにぎり成型器である。
【発明の効果】
【００２０】
課題を解決するための手段として、請求項３に記載の発明は、前記請求項２に記載のおにぎりの離脱容易部２４が、同一方向にして、且つ直線状に形成されているおにぎり成型器である。
【００２１】
請求項１に記載の発明は、内側部に所定の間隔を設け立設する中仕切部を有する中央成型枠体を設け、且つ前記成型枠体の右端縁部に内側部に所定の間隔を設け、前記中仕切部と直列し立設する右側仕切部を有し、表面部に右方フック部を、且つ前方端縁部に折曲自在な孔付きフック部を、後方端縁部に折曲自在な孔付きフック部を有する右側成型枠体と、前記中央成型枠体の左端縁部に内側部に所定の間隔を設けて前記中仕切部と前記右側仕切部と直列し立設する蓋仕切部と左側端縁部に折曲自在な孔付き係止部を形成する蓋成型枠体と、前記中央成型枠体の前端縁部に延設する折曲自在にして、且つ表面部に前方フック部を形成する尖状前側成型枠体と、前記中央成型枠体の後端縁部に延設する折曲自在にして、且つ表面部に後方フック部を形成する尖状後側成型枠体を設けると共に、前記中央成型枠体と前記右側成型枠体と前記蓋成型枠体と前記前側成型枠体と前記後側成型枠体とを折曲し、且つ組立ることによっておにぎりを成型するおにぎり成型器において、前記蓋成型枠体の蓋仕切部が、前記中央成型枠体と前記右側成型枠体の各仕切部と対向し、且つ当接状態が３角形状を確保できる湾曲形状とするおにぎり成型器なので、前記各フック部を介して引掛け係止することによって、前記各成型枠体を極めて簡単に組立てることができると共に、ごはんと所定の具を入れて蓋成型枠体を押し込むことによって、殊に３角形状のおにぎりを複数個を極めて簡単にして、且つ迅速に成型できる利点を有している。
【００２２】
さらに、本発明は、中仕切部と右側仕切部と蓋仕切部によって詰め込んだごはんを確実に複数に仕切り、且つ迅速におにぎりを作ることができる。
【００２３】
本発明は、前記各成型枠体を展開させれば、作られたおにぎりを手早く取出すことができると共に、トレー等として他の品物も載置して行楽、運動会等に多目的な利用ができるので、極めて利便である。
【００２４】
本発明は、前記のように各成型枠体を展開し洗浄器等によって洗浄が極めて容易になった利点がある。
【００２５】
請求項２に記載の発明は、前記中央成型枠体の内側部と前記右側成型枠体の内側部と前記蓋成型枠体の内側部と前記前側成型枠体及び前記後側成型枠体の内側部と、前記中仕切部と前記右側仕切部と前記蓋仕切部の夫々の表面部及び裏面部におにぎりの離脱容易部を形成せしめるおにぎり成型器なので、前記請求項１に記載の発明と同じ効果を有している。
【００２６】
請求項３に記載の発明は、前記請求項５に記載のおにぎりの離脱容易部が、同一方向にして、且つ直線状に形成されているおにぎり成型器なので、前記請求項１もしくは同２に記載の発明と同じ効果を有している。
【図面の簡単な説明】
【００２７】
【図１】本発明おにぎり成型器の展開正面図である。
【００２８】
【図２】同Ａ−Ａ線縦断面図である。
【００２９】
【図３】同Ｂ−Ｂ線縦断面図である。
【００３０】
【図４】同Ｃ−Ｃ線縦断面図である。
【００３１】
【図５】同Ｄ−Ｄ線縦断面図である。
【００３２】
【図６】図Ｅ−Ｅ線縦断面図である。
【００３３】
【図７】同Ｄ−Ｄ線端面図である。
【００３４】
【図８】同Ｆ−Ｆ線端面図である。
【００３５】
【図９】同離脱容易部を表示する一部切欠拡大縦断面図である。
【００３６】
【図１０】同各成型枠体を組立てたおにぎり成型器の正面図である。
【００３７】
【図１１】同おにぎり成型器の斜視図である。
【００３８】
【図１２】同おにぎり成型器の蓋成型枠体を展開した状態の斜視図である。
【００３９】
【図１３】同各成型枠体を展開した状態の斜視図である。
【００４０】
【図１４】同おにぎり成型器内にごはんと具を入れた状態のおにぎり成型器の斜視図である。
【００４１】
【図１５】同図１４の状態から蓋成型枠体を押し込む状態の斜視図である。
【００４２】
【図１６】同図１５から蓋成型枠体を閉じておにぎりを成型した後、各成型枠体を展開した状態を示す図である。
【００４３】
【図１７】同図１６の状態におかず類を入れた容器等をプラスした状態を示す斜視図である。
【００４４】
【図１８】同おにぎり成型器を展開した状態の平面図である。
【発明を実施するための最良の形態】
【００４５】
本発明の請求項１〜６に記載の発明の実施の形態は共通しているので、一括して以下のとおり説明する。
【００４６】
図において、ａは４辺形状の内側部１に所定の間隔として通常３角形状おにぎりｐ１個分の幅員相当分の間隔を設け立設する中仕切部２を有する中央成型枠体ａである。
【００４７】
ｂは右側成型枠体であり、以下の構成からなる。
【００４８】
前記右側成型枠体ｂは前記中央成型枠体ａの右端縁部３に通常前記３角形状おにぎりＰの一辺を形成可能な幅員を有し、且つ内側部１ａに所定の間隔を、通常３角形状おにぎりｐ１個の幅員相当分の間隔を設けた前記中仕切部２と直列し立設する右側仕切部４を形成する。この右側仕切部４は、図１等に図示するとおり複数形成する。本発明は図面上２個立設しているが限定しない。
【００４９】
さらに、前記右側成型枠体ｂの表面部５の右側方部に右方フック部６を、且つ前方端縁部７にして、稍右側方部に折曲自在な折曲部を有する孔８付きフック部９を形成する。また右側成型枠体ｂは、後方端縁部１０にして稍右側方部に折曲自在な折曲部を有する孔１１付きフック部１２を形成する。
【００５０】
ｃは蓋成型枠体であり以下の構成からなっている。
【００５１】
該枠体ｃは、前記中央成型枠体ａの左端縁部１３に通常３角形状おにぎりｐの一辺を形成可能な幅員を有し、且つ内側部１４に所定の通常３角形状おにぎりｐ１個の幅員相当分の間隔を設けた前記中仕切部２と前記右側仕切部４と直列し立設する蓋仕切部１５を形成する。この蓋仕切部１５は図１等に図示するとおり複数形成する。本発明は図面上２個立設しているが限定しない。
【００５２】
そして、前記蓋成型枠体ｃは、左側端縁部１６に折曲自在な孔８ａ付き係止部１７を形成する。
【００５３】
ｄは尖状前側成型枠体であり以下の構成からなる。
【００５４】
前記枠体ｄは、前記中央成型枠体ａの前端縁部１８に延設する折曲自在にして、且つ表面部１９に前方フック部２０を形成する。この前側成型枠体ｄは、同時に複数個のおにぎりｐの中、外側方に形成されるおにぎりｐの外側面部を成型する機能を有している。
【００５５】
ｅは尖状後側成型枠体であり以下の構成からなる。
【００５６】
前記枠体ｅは、前記中央成型枠体ａの後端縁部２１に延設する折曲自在にして、且つ表面部２２に後方フック部２３を形成する。前記フック部２３は、図面上図示していないが、前記枠体Ｄに形成するフック部２０と同じ形状をしている。
【００５７】
前記尖状前側成型枠体ｄは、前記成型枠体ｄを構成する３角形状の右側辺部１４ｂの所定個所に前記右側成型枠体ｂに形成したフック部９が図１１、１２、１４に図示するように嵌挿する切欠部１４ｃが形成される。
【００５８】
さらに、前記尖状後側成型枠体ｅを構成する３角形状の右側辺部１４ｄの所定個所にも、前記右側成型枠体ｂの形成した前記フック部１２が図１１、１２、１４に図示するように嵌挿を可能にした切欠部１４ｅが形成されている。
【００５９】
前記中仕切部２と前記右側仕切部４は、図１１、１２、１４に図示するように前記中央成型枠体ａと前記右側成型枠体ｂが折畳んだ際に対向し、且つ３角形状のおにぎりが成型する際にごはんがはみ出さない当接状態を確保することを可能にして、図５、６に図示されているように３角形状に形成する。
【００６０】
前記蓋成型枠体ｃの蓋仕切部１５は、前記中央成型枠体ａと前記右側成型枠体ｂの各仕切部２、４同士が対向し折畳まれて組立てられた際に詰み込まれるごはんがはみ出さないように３角形状を確保できる湾曲形状とする（図５、６、１０）。
【００６１】
前記中央成型枠体ａと前記右側成型枠体ｂと前記蓋成型枠体ｃは、４辺形状をしている。
【００６２】
本発明は、前記中央成型枠体ａの内側部１と前記右側成型枠体ｂの内側部１ａと前記蓋成型枠体ｃの内側部１４ａと、前記中仕切部２と前記右側仕切部４と前記蓋仕切部１５の表面部及び裏面部におにぎりの離脱容易部２４を形成せしめる。
【００６３】
さらに前記おにぎりの離脱容易部２４は、同一方向にして、且つ直線状に形成されていると共に、断面形状が凹部２５と凸部２６とが交互に形成されている。
【００６４】
２７は前記蓋成型枠体ｃに形成されたごはんをぎゅっと詰込むための押付け凹部である。
【００６５】
２６ａは前記前側成型枠体ｄの内側部１４ａの左側方部に形成された凸状部である。さらに前記後側成型枠体ｅの内側部１４ａの左側方部にも凸状部２６ｂを形成する。
【００６６】
前記２つの凸状部２６ａ、２６ｂは図１２のように組立てられた状態にしてごはんを図１４、１５に図示されている状態にした後、前記蓋成型枠体ｃを蓋しめすると、前記蓋成型枠体ｃの凹部２８が詰込んだごはんを更に押付けることとなる。
【００６７】
その際、前記蓋成型枠体ｃの左右両端部は、前記凸状部２６ａ、２６ｂの内側部に嵌込まれて前記蓋成型枠体ｃの離脱が阻止される。
【００６８】
本発明の組立ては以下のとおりである。
【００６９】
図１の展開状態からごはんを詰込むまでの組立て方は、第１に前後側成型枠体ｄ、ｅを折曲し起立させ、その後右側成型枠体ｂを起立させ、前記フック部９、１２を前記フック部２０、２３をもって、前記枠体ｂ、ｄ、ｅを固定する（図１２）。
【００７０】
前記のように組立後はごはん等を図１４、１５に図示しているように詰込み詰込み作業を終了する。その後前記蓋成型枠体ｃ押付け、前記右方フック部６と前記係止部１７とを引掛ける。
【００７１】
前記のようにごはんを詰込み後おにぎりｐを取出すには図１６、１７のように各枠体ｂ、ｃ、ｄ、ｅを展開すればよい。
【００７２】
なお本発明のおにぎり成型器は材質がポリプロピレンである。
【００７３】
さらに本発明のおにぎり成型器は、食洗機に耐熱１２０〜−１０℃に対応可能である。
【符号の説明】
【００７４】
ａ        中央成型枠体
ｂ        右側成型枠体
ｃ        蓋成型枠体
ｄ        尖状前側成型枠体
ｅ        尖状後側成型枠体
ｐ        おにぎり
１        内側部
１ａ      内側部
２        中仕切部
３        右端縁部
４        右側仕切部
５        表面部
６        右方フック部
７        前方端縁部
８        孔
８ａ      孔
９        フック部
１０      後方端縁部
１１      孔
１２      フック部
１３      左端縁部
１４      内側部
１４ａ    内側部
１４ｂ    右側辺部
１４ｃ    切欠部
１４ｄ    右側辺部
１４ｅ    切欠部
１５      蓋仕切部
１６      左側端縁部
１７      係止部
１８      端縁部
１９      表面部
２０      前方フック部
２１      後端縁部
２２      表面部
２３      後方フック部
２４      離脱容易部
２５      凹部
２６      凸部
２６ａ    凸状部
２６ｂ    凸状部
２７      押付け凹部
【要約】      （修正有）【課題】極めて簡単・迅速に複数の３角形状おにぎりを成型する。【解決手段】内側部１に所定間隔で立設する中仕切部２を有する中央成型枠体ａを設け、その右端縁部３に内側部１ａに所定間隔を設け中仕切部２と直列し立設する右側仕切部４を有し、表面部に右方フック部を、前方端縁部７に折曲自在な孔８付きフック部９を、後方端縁部１０に折曲自在な孔１１付きフック部１２を有する右側成型枠体ｂと、枠体ａの左端縁部１３に内側部に所定間隔を設け中仕切部２と右側仕切部４と直列し立設する蓋仕切部１５と左側端縁部１６に折曲自在な孔８ａ付き係止部１７を形成する蓋成型枠体ｃと、枠体ａの前端縁部１８に延設する折曲自在で、表面部に前方フック部を形成する尖状前側成型枠体ｄと、枠体ａの後端縁部２１に延設する折曲自在で、表面部に後方フック部２３を形成する尖状後側成型枠体ｅを設け、枠体ａ、ｂ、ｃ、ｄ、ｅとを折曲し組立る。【選択図】図１【図１】
0005633835.tif 000002
【図２】
0005633835.tif 000003
【図３】
0005633835.tif 000004
【図４】
0005633835.tif 000005
【図５】
0005633835.tif 000006
【図６】
0005633835.tif 000007
【図７】
0005633835.tif 000008
【図８】
0005633835.tif 000009
【図９】
0005633835.tif 000010
【図１０】
0005633835.tif 000011
【図１１】
0005633835.tif 000012
【図１２】
0005633835.tif 000013
【図１３】
0005633835.tif 000014
【図１４】
0005633835.tif 000015
【図１５】
0005633835.tif 000016
【図１６】
0005633835.tif 000017
【図１７】
0005633835.tif 000018
【図１８】
0005633835.tif 000019